(57)【要約】      （修正有）【課題】衝撃による破損や使用時の漏電を回避することができる、管形照明器具の構造を提供する。【解決手段】基板１１頂部に背蓋１２が結合されてなる基部１０と、基部の基板頂面に設けられた電源駆動モジュール４０と、ソケット６０内に収容された隔離部５０と、基部の両端に設けられたソケットと、基部底面に接続して設けられた管形照明発光源２０と、基部底部に被せられた保護カバー３０とからなる。電源駆動モジュールの導線が、隔離部を通ってからソケットのピンと接続するため、電源駆動モジュール及び導線が最良の絶縁効果を有する。また、管形照明発光源を保護カバーで守るとともに、使用時には必要に応じて保護カバーを取り外すことで、管形照明発光源に最大の照明輝度を発揮させる。切れた管形照明を取り外す時、保護カバーを再度取り付けることにより、不慮の怪我を防ぐことができる。【選択図】図１
0003185772.tif 000002
【実用新案登録請求の範囲】
【請求項１】
基部と、管形照明発光源と、保護カバーと、電源駆動モジュールと、ソケットとからなる管形照明器具の構造であって、
前記基部は、基板頂部に背蓋が結合されてなり、
前記電源駆動モジュールは、前記基部内に設けられ、
前記ソケットは、前記基部の両端に接続され、
前記管形照明発光源は、前記基部底面に接続して設けられ、
前記保護カバーは、前記基部底部に被せられることを特徴とする、管形照明器具の構造。
【請求項２】
前記保護カバーは、前記基部に、取り外し可能に設けられることを特徴とする、請求項１に記載の管形照明器具の構造。
【請求項３】
前記基板の底部は、良好な光反射効果を有する板状面をなすか、あるいは３６０度透光可能な全透明であることを特徴とする、請求項１に記載の管形照明器具の構造。
【請求項４】
前記電源駆動モジュールは、スターターと、統合性電源供給器と、ＩＣ電源駆動モジュールと、スターターコイルとからなることを特徴とする、請求項１に記載の管形照明器具の構造。
【請求項５】
前記電源駆動モジュールの統合性電源供給器と、ＩＣ電源駆動モジュールと、スターターコイルは、基部の外に設けられて、照明用部品取り付け用のランプ台座に接続されることを特徴とする、請求項１または請求項４に記載の管形照明器具の構造。
【請求項６】
基部と、管形照明発光源と、保護カバーと、電源駆動モジュールと、座面上に数個の細かい透気孔が設けられた隔離部と、ピン及び端面に透気孔が設けられたソケットとからなる管形照明器具の構造であって、
前記基部は、基板頂部に背蓋が結合されてなり、
前記電源駆動モジュールは、前記基部の基板頂面に設けられ、
前記隔離部は、前記ソケット内に収容され、
前記ソケットは、前記基部の両端に接続され、
前記管形照明発光源は、前記基部底面に接続して設けられ、
前記保護カバーは、前記基部底部に被せられ、
前記電源駆動モジュールには、導線が設けられ、前記導線が前記隔離部を通ってから、前記ソケットのピンと接続することを特徴とする、管形照明器具の構造。
【請求項７】
前記隔離部は、ソケット内に設けられるとともに、絶縁素材から作られ且つその座面には貫通する線孔を有する接続管が設けられ、
前記接続管は、電源駆動モジュールの導線を通すことを特徴とする、請求項６に記載の管形照明器具の構造。
【請求項８】
前記隔離部の座面には、さらに貫通する線孔を有する二つの接続管が設けられることを特徴とする、請求項６または請求項７に記載の管形照明器具の構造。
【請求項９】
基板と、少なくとも一つの管形照明発光源と、透光性を有する丸管状の保護カバーと、電源駆動モジュールと、隔離部と、ピン及び透気孔が設けられたソケットとからなる管形照明器具の構造であって、
前記基板は、丸管状の前記保護カバーの中央部に差し込まれ、
前記電源駆動モジュールは、前記基板の頂面に設けられ、スターターと、統合性電源供給器と、ＩＣ電源駆動モジュールと、スターターコイルとからなるとともに、導線が設けられて前記ソケットのピンと接続し、
前記隔離部は、ソケット内に設けられ、絶縁素材から作られるとともに、その座面に貫通する線孔を有する二つの接続管が設けられ、
前記電源駆動モジュールの導線は、前記接続管の線孔を通ってから、ソケットのピンと接続し、
前記ソケットの端面には、透気孔が設けられ、
前記隔離部の座面には、数個の細かい透気孔が設けられることを特徴とする、管形照明器具の構造。
【考案の詳細な説明】
【技術分野】
【０００１】
本考案は、照明用器具の構造に関し、特に管形照明を発光源とする照明器具の構造に関する。
【背景技術】
【０００２】
一般的によく使用される蛍光灯管は、管径が比較的太い約２６〜２９ｍｍのＴ８型、Ｔ９型、Ｔ１０型である。現在、比較的新しい型の場合は、管径が比較的細い約１６ｍｍのＴ５管の他、管径が非常に細い約１．８〜６．５〜１０．０ｍｍの冷陰極管、及びＬＥＤ発光ダイオード光源も徐々に照明用途への使用が広がってきている。しかし、前述した各種の直管型照明には、共通する欠点がある。その欠点とは、管形照明本体が全てガラス製であるため、運搬や保管時に、ぶつかった衝撃で割れて破損しやすいことである。加えてこの種の照明は、電子式の電源発動を採用しているため漏電しやすい。これらのことから、従来の構造は理想的とはいいがたく、改良の必要がある。
【考案の概要】
【考案が解決しようとする課題】
【０００３】
そこで本考案は、衝撃による破損や使用時の漏電を回避することができる、管形照明器具を提供することを目的とする。
【課題を解決するための手段】
【０００４】
本考案の管形照明器具の構造は、基部と、管形照明発光源と、保護カバーと、電源駆動モジュールと、透気孔が設けられた隔離部と、ピン及び透気孔が設けられたソケットとからなる。前記基部は、基板の頂部に背蓋が結合されてなるとともに、前記基板頂面に電源駆動モジュールが設けられる。隔離部は、ソケット内に収容され、前記ソケットは前記基部の両端に接続される。管形照明発光源は、基部底面に接続して設けられ、保護カバーは基部底部に被せられる。また、電源駆動モジュールの導線は、隔離部を通ってから、ソケットのピンと接続する。
【０００５】
前述の照明器具における基板の底部は、良好な光反射効果を有する板状面をなすか、あるいは３６０度透光可能な全透明である。保護カバーは、良好な透光性を有するとともに、基部から取り外して分離することができる構造をなす。隔離部は、絶縁素材から作られる。また、電源駆動モジュールは、スターターと、統合性電源供給器と、ＩＣ電源駆動モジュールと、スターターコイルとからなる。
【０００６】
加えて、照明器具の管形照明発光源は、いかなる類型にも限定されず、例えば、直管型やＵ字型の蛍光灯管、あるいはＵＶライト管、あるいは冷陰極蛍光灯管、ＬＥＤ発光ダイオードを光源とする。
【図面の簡単な説明】
【０００７】
【図１】本考案の分解図である。
【図２】本考案の分解図である。
【図３】本考案を組み立てた様子を上部から見た際の外観図である。
【図４】本考案を組み立てた様子を底部から見た際の外観図である。
【図５】本考案を取り付けて使用した際の概略図である。
【図６】本考案を取り付けて使用した際の概略図である。
【図７】本考案を組み立てた様子を上部から見た際の部分断面図である。
【図８】本考案の実施例を示した概略図である。
【考案を実施するための形態】
【０００８】
（実施例１）
図１を参照する。図１は、本考案の実施例の構造を示した分解図である。照明器具１は、基板１１及び背蓋１２が組み合わされてなる基部１０と、少なくとも一つの管形照明発光源２０と、透光性を有する保護カバー３０と、電源駆動モジュール４０と、隔離部５０と、ピン６１及び透気孔６０１が設けられたソケット６０とからなる。電源駆動モジュール４０は、基部１０の基板１１上に設けられ、スターター４１と、統合性電源供給器４２と、ＩＣ電源駆動モジュール４３と、スターターコイル４４とからなるとともに、導線４５が設けられてソケット６０のピン６１と接続する。隔離部５０は、ソケット６０内に設けられ、絶縁素材から作られるとともに、その座面の一辺に貫通する線孔５１１を有する接続管５１が設けられる。電源駆動モジュール４０の導線４５は、接続管５１の線孔５１１を通ってから、ソケット６０のピン６１と接続する。また、ソケット６０の端面上には、透気孔６０１が設けられ、隔離部５０の座面上には、数個の細かい透気孔５０１が設けられる。
【０００９】
図２から図５を参照する。本考案の実施例において、電源駆動モジュール４０は、基板１１頂部に背蓋１２が結合されてなる基部１０内に設けられる。ソケット６０は、基部１０の両端に接続されて、ピン６１が外に出るとともに、電源駆動モジュール４０と電気的に接続する。少なくとも一つの管形照明発光源２０は、基部１０底面に接続して設けられるとともに、ソケット６０と電気的に接続する。また、保護カバー３０は、基部１０底部に被せられる。本考案の照明器具１は、保護カバー３０によって脆弱な管形照明発光源２０を、貯蔵時の積み置き、あるいは運搬、取り付けや取り外しの過程において保護するとともに、使用時にぶつかって破損することを防ぐ。また、ランプ台座２に取り付けて照明として用いる時、保護カバー３０を取り外すことで管形照明発光源２０の光を遮らないようにして、管形照明発光源２０に最大の照明輝度を発揮させることができる。また、切れた管形照明を取り外して回収する時、保護カバー３０を再度取り付けて保護することにより、後続の関連作業を行う人が不慮の怪我を負うことを回避できる。
【００１０】
図６を参照する。図は、本考案の照明器具１をランプ台座２に取り付けて照明として使用した実施例である。照明器具１における電源駆動モジュール４０の統合性電源供給器４２と、ＩＣ電源駆動モジュール４３と、スターターコイル４４は、基部１０の外に設けられて、照明用部品取り付け用のランプ台座２に接続されるとともに、ランプ台座２内のジョイント３と電気的に接続する必要がある。
【００１１】図１、図７を参照する。本考案のもう一つの特長は、ソケット６０に隔離部５０が取り付けられることである。隔離部５０は、例えば、（公序良俗違反につき、不掲載）、防火性ポリカーボネード（ＰＣ）樹脂、（公序良俗違反につき、不掲載）絶縁体、防火性ガラス繊維樹脂といった絶縁素材から作られる。隔離部５０の座面の一辺には、貫通する線孔５１１を有する接続管５１が設けられて、電源駆動モジュール４０の導線４５が接続管５１の線孔５１１を通ってから、ソケット５０のピン５１と接続する。これにより、電源駆動モジュール及び導線が最良の絶縁効果を有し、使用時の漏電発生を回避することができる。このほか、隔離部５０の座面上には、数個の細かい透気孔５０１が設けられ、ソケット６０の端面上の透気孔６０１と対応してソケット６０の外側の空気を通すことで、通気還流による放熱効果を有するとともに、蚊や蟻の進入による電子装置の損壊を防ぐことができる。
【００１２】
（実施例２）
図８は、本考案のもう一つの実施例である。照明器具１は、基板１１と、少なくとも一つの管形照明発光源２０と、透光性を有する丸管状の保護カバー３０と、電源駆動モジュール４０と、隔離部５０と、ピン６１及び透気孔６０１が設けられたソケット６０とからなる。基板１１は、丸管状の保護カバー３０の中央部に差し込まれる。電源駆動モジュール４０は、基板１１の頂面に設けられ、スターター４１と、統合性電源供給器４２と、ＩＣ電源駆動モジュール４３と、スターターコイル４４とからなるとともに、導線４５が設けられてソケット６０のピン６１と接続する。隔離部５０は、ソケット６０内に設けられ、絶縁素材から作られるとともに、その座面の一辺に貫通する線孔５１１を有する二つの接続管５１が設けられる。電源駆動モジュール４０の導線４５は、接続管５１の線孔５１１を通ってから、ソケット６０のピン６１と接続する。また、ソケット６０の端面には、透気孔６０１が設けられ、隔離部５０の座面には、数個の細かい透気孔５０１が設けられる。
【符号の説明】
【００１３】
１            照明器具
１０   基部
１１   基板
１２   背蓋
２            ランプ台座
３            ジョイント
２０   管形照明発光源
３０   保護カバー
４０   電源駆動モジュール
４１   スターター
４２   統合性電源供給器
４３   ＩＣ電源駆動モジュール
４４   スターターコイル
４５   導線
５０   隔離部
５１   接続管
５１１ 線孔
５０１ 透気孔
６０   ソケット
６１   ピン
６０１ 透気孔
【図１】
0003185772.tif 000003
【図２】
0003185772.tif 000004
【図３】
0003185772.tif 000005
【図４】
0003185772.tif 000006
【図５】
0003185772.tif 000007
【図６】
0003185772.tif 000008
【図７】
0003185772.tif 000009
【図８】
0003185772.tif 000010
【手続補正書】
【提出日】平成25年7月9日(2013.7.9)
【手続補正１】
【補正対象書類名】明細書
【補正対象項目名】００１１
【補正方法】変更
【補正の内容】
【００１１】
図１、図７を参照する。本考案のもう一つの特長は、ソケット６０に隔離部５０が取り付けられることである。隔離部５０は、例えば、防火性ポリカーボネード（ＰＣ）樹脂、防火性ガラス繊維樹脂といった絶縁素材から作られる。隔離部５０の座面の一辺には、貫通する線孔５１１を有する接続管５１が設けられて、電源駆動モジュール４０の導線４５が接続管５１の線孔５１１を通ってから、ソケット５０のピン５１と接続する。これにより、電源駆動モジュール及び導線が最良の絶縁効果を有し、使用時の漏電発生を回避することができる。このほか、隔離部５０の座面上には、数個の細かい透気孔５０１が設けられ、ソケット６０の端面上の透気孔６０１と対応してソケット６０の外側の空気を通すことで、通気還流による放熱効果を有するとともに、蚊や蟻の進入による電子装置の損壊を防ぐことができる。